(57)【要約】      （修正有）【課題】歯周の保護をし、歯周病を防ぐことができる歯周保護装置を提供する。【解決手段】歯周保護装置は、少なくとも１つの光治療装置本体１０と、前記光治療装置本体に繋がっている電源ユニット２０とを含む。前記光治療装置本体は、両端が向き合うように内壁面がＵ字形に曲がられているマウスピース部と、前記マウスピース部の中に形成されている少なくとも１つのＬＥＤ発光モジュールとを含む。前記ＬＥＤ発光モジュールは、回路基板と、前記内壁面に向き合うように前記回路基板の上に離間して形成されている複数の発光ダイオードを含む。【選択図】図１
0003165607.tif 000002
【実用新案登録請求の範囲】
【請求項１】
少なくとも1つの光治療装置本体と、前記光治療装置本体に繋がっている電源ユニットと、を含む歯周保護装置において、
前記光治療装置本体は、両端が向き合うように内壁面がＵ字形に曲がられるマウスピース部と、前記マウスピース部の中に形成されている少なくとも1つのＬＥＤ発光モジュールと、を含み、
前記ＬＥＤ発光モジュールは、回路基板と、前記内壁面に向き合うように前記回路基板の上に離間して形成され、且つ前記電源ユニットに電気的に接続されている複数の発光ダイオードと、を含むことを特徴とする歯周保護装置。
【請求項２】
前記マウスピース部には、外部からマウスピース部の中に入っている歯を見ることができる複数の開口が形成されていることを特徴とする請求項１に記載の歯周保護装置。
【請求項３】
前記マウスピース部の内壁面の湾曲部は、円弧面に形成されていることを特徴とする請求項１に記載の歯周保護装置。
【請求項４】
前記回路基板は、前記マウスピース部の中に形成されてマウスピース部の変形に従って変形するフレキシブル回路基板であることを特徴とする請求項１〜３のいずれに記載の歯周保護装置。
【請求項５】
前記回路基板は、前記マウスピース部の中に形成されて曲げることができない硬性回路基板であることを特徴とする請求項１〜３のいずれに記載の歯周保護装置。
【請求項６】
前記歯周保護装置は、開閉可能に一体に繋がっている２つの光治療装置本体を含み、前記光治療装置本体の中に形成されるＬＥＤ発光モジュールは、前記電源ユニットに電気的に接続されていることを特徴とする請求項１〜３のいずれに記載の歯周保護装置。
【請求項７】
前記歯周保護装置は、開閉可能に一体に繋がっている２つの光治療装置本体を含み、前記光治療装置本体の中に形成されるＬＥＤ発光モジュールは、前記電源ユニットに電気的に接続されていることを特徴とする請求項４に記載の歯周保護装置。
【請求項８】
前記歯周保護装置は、開閉可能に一体に繋がっている２つの光治療装置本体を含み、前記光治療装置本体の中に形成されるＬＥＤ発光モジュールは、前記電源ユニットに電気的に接続されていることを特徴とする請求項５に記載の歯周保護装置。
【考案の詳細な説明】
【技術分野】
【０００１】
本考案は、歯周の温度を高めて歯周の血行を促進し、且つ歯周の健康と菌の抑制を図る歯周保護装置に関する。
【背景技術】
【０００２】
光波治療装置は、異なる波長の光線を体の所定の部位に照射して、体の所定の部位の新陳代謝を促進し、体の所定の部位の健康状態を維持する。医学的実験によると以下の複数の結果が分かる。即ち、所定の波長を有する光線は、繊維母細胞の増加とコラーゲンの発生を促進し、他の所定の波長を有する光線は、細菌の体内の所定の化学反応を中止して細菌を殺し、他の所定の波長を有する光線は、薬剤の吸収と消炎の効果を促進することが分かる。
【０００３】
前記歯周は、歯と歯肉の組成部分とを含む。菌感染などによる歯周病は、歯周病が生じる原因、歯が揺れる原因或いは硬い食品を噛めない原因になることができる。ひどい歯周病は、患者に回復できない歯損害を与えることができる。従来の光波治療装置は、前記歯周病を治療することができるが、歯の周りを保護するとか歯周病を防ぐことができない。
【考案の概要】
【考案が解決しようとする課題】
【０００４】
本考案の主な目的は、歯周を保護し、歯周病を防ぐことができる歯周保護装置を提供することにある。
【課題を解決するための手段】
【０００５】
上記課題を解決するために本考案では、少なくとも1つの光治療装置本体と、前記光治療装置本体に繋がっている電源ユニットとを含む歯周保護装置を提供する。前記光治療装置本体は、両端が向き合うように内壁面がＵ字形に曲がられているマウスピース部と、前記マウスピース部の中に形成されている少なくとも1つのＬＥＤ発光モジュールとを含む。前記ＬＥＤ発光モジュールは、回路基板と、前記内壁面に向き合うように前記回路基板の上に離間して形成されている複数の発光ダイオードを含む。前記電源ユニットは、発光ダイオードに電気的に接続されて発光ダイオードが発光するように電源を供給する。
【考案の効果】
【０００６】
上記のように、本考案の歯周保護装置には、歯に装着させることができるＵ字形の内壁面が形成されている。前記マウスピース部の中には、所定の波長の光線を発光する複数の発光ダイオードを含むＬＥＤ発光モジュールが形成されている。前記歯周保護装置を歯に装着させる場合、ＬＥＤ発光モジュールの光線が歯周に照射されて歯周の温度が上がるので、歯周の血行を促進し、殺菌と消炎の目的を実現することができる。即ち、歯周を保護し、歯周病を防ぐことができる。
【図面の簡単な説明】
【０００７】
【図１】本考案の第一実施形態に係る歯周保護装置を示す斜視図である。
【図２】図１の歯周保護装置の断面を示す図である。
【図３】本考案の第二実施形態に係る歯周保護装置の断面を示す図である。
【図４】図１の歯周保護装置のマウスピース部の形状を示す図である。
【図５】本考案の第三実施形態に係る歯周保護装置を示す斜視図である。
【考案を実施するための形態】
【０００８】
図１は、本考案の第一実施形態に係る歯周保護装置を示す斜視図であり、図２は、図１の歯周保護装置の断面を示す図である。図１と図２に示すように、本実施形態の歯周保護装置は、少なくとも1つの光治療装置本体（１０）と、前記光治療装置本体（１０）に繋がっている電源ユニット（２０）と、を含む。前記光治療装置本体（１０）は、マウスピース部（３０Ａ）と、前記マウスピース部（３０Ａ）の中に形成されている少なくとも1つのＬＥＤ発光モジュール（４０Ａ）と、を含む。前記電源ユニット（２０）は、前記ＬＥＤ発光モジュール（４０Ａ）に電気的に接続されてＬＥＤ発光モジュール（４０Ａ）が発光するように電源を供給する。
【０００９】
前記マウスピース部（３０Ａ）は、平面視で略Ｕ字形に形成されている。即ち、マウスピース部（３０Ａ）の一端部（３１）と他端部（３２）が向き合うように略Ｕ字形に曲がっている（図４を参照）。略Ｕ字形の前記マウスピース部（３０Ａ）において、一端部（３１）から他端部（３２）まで形成される内壁面（３３Ａ）によって、歯列（５０）が嵌り込む溝部が形成される。前記内壁面（３３Ａ）の湾曲部（３３１）は、円弧面に形成されている。前記マウスピース部（３０Ａ）を形成する材料として、光線が透過することができる材料を選択する。
【００１０】
前記電源ユニット（２０）に電気的に接続されている前記ＬＥＤ発光モジュール（４０Ａ）は、回路基板（４１Ａ）と、前記回路基板（４１Ａ）の上に離間して形成されている複数の発光ダイオード（４２Ａ）と、を含む。各々の発光ダイオード（４２Ａ）は、前記内壁面（３３Ａ）に向き合うように前記回路基板（４１Ａ）の上に離間して形成されている。前記回路基板（４１Ａ）は、前記マウスピース部（３０Ａ）の中に形成されてマウスピース部（３０Ａ）の変形に従って変形することができるフレキシブル回路基板である。
【００１１】
図３は、本考案の第二実施形態に係る歯周保護装置の断面を示す図である。第二実施形態の歯周保護装置と第一実施形態の歯周保護装置が異なる所は、図３の歯周保護装置に２つのＬＥＤ発光モジュール（４０Ｂ）が形成されていることと、前記ＬＥＤ発光モジュール（４０Ｂ）の回路基板（４１Ｂ）が曲げられない硬性回路基板であることである。前記２つの回路基板（４１Ｂ）は、別々に前記Ｕ字形マウスピース部（３０Ｂ）の両側の２つの直線部の中に形成されている。前記回路基板（４１Ｂ）の上には、離間して形成される複数の発光ダイオード（４２Ｂ）が形成されている。前記回路基板（４１Ｂ）が曲げられない硬性回路基板であるので、前記Ｕ字形マウスピース部（３０Ｂ）の内の円弧形湾曲部には前記回路基板（４１Ｂ）が形成されない。
【００１２】
図５は、本考案の第三実施形態に係る歯周保護装置を示す斜視図である。第三実施形態の歯周保護装置と第一実施形態の歯周保護装置が異なる所は、前記マウスピース部（３０Ｃ）の形状が異なることである。図５のマウスピース部（３０Ｃ）は、Ｕ字形に曲げる２つの板材によって形成されるものである。即ち、サイズが小さいＵ字形板材とサイズが大きいＵ字形板材を平行するように内外の順に配置した後、複数の連結部（３３１Ｃ）によって２つのＵ字形板材を一体に連結させる。前記マウスピース部（３０Ｃ）の内壁面（３３Ｃ）には、歯列が嵌り込む溝部が形成されている。前記複数の連結部（３３１Ｃ）が２つのＵ字形板材の上に離間して形成されているので、前記マウスピース部（３０Ｃ）の上には複数の開口（３４）が形成されている。前記複数の開口（３４）が形成されているので、光治療装置本体（１０Ａ）の外部からマウスピース部（３０Ｃ）の中に入っている歯を見ることができる。
【００１３】
図１の示すように、第一実施形態に係る歯周保護装置は、２つの光治療装置本体（１０）と、前記光治療装置本体（１０）に繋がられている１つの電源ユニット（２０）と、を含む。１つの光治療装置本体（１０）には、マウスピース部（３０Ａ）が１つずつ形成されている。前記光治療装置本体（１０）に形成される２つのマウスピース部（３０Ａ）は、開閉可能に一体に繋がれている。前記電源ユニット（２０）は、前記マウスピース部（３０Ａ）の中に形成されるＬＥＤ発光モジュール（４０Ａ）に電気的に接続されて、ＬＥＤ発光モジュール（４０Ａ）が発光するように電源を供給する。他の実施形態の歯周保護装置で、実際の要求に従って１つの光治療装置本体（１０）を形成してもよい。
【００１４】
上述するように、本考案の歯周保護装置には、歯に装着させることができるＵ字形の内壁面（３３Ａ）或いは（３３Ｃ）が形成されている。前記マウスピース部（３０Ａ）、（３０Ｂ）或いは（３０Ｃ）の中には、所定の波長の光線を発光する複数の発光ダイオード（４２Ａ）或いは（４２Ｂ）を含むＬＥＤ発光モジュール（４０Ａ）或いは（４０Ｂ）が形成されている。前記歯周保護装置を歯に装着させる場合、ＬＥＤ発光モジュール（４０Ａ）或いは（４０Ｂ）の光線が歯周に照射されて歯周の温度が上がるので、歯周の血流を促進し、殺菌と消炎の目的を実現することができる。即ち、歯周を保護する目的を実現することができる。且つ、内壁面（３３Ａ）の湾曲部（３３１）が円弧面に形成されているので、直角に形成される湾曲部（３３１）より容易に洗えるので、本考案の歯周保護装置の清潔を維持することができる。
【符号の説明】
【００１５】
１０  光治療装置本体
２０  電源ユニット
３０Ａ  マウスピース部
３１  端部
３２  端部
３３Ａ  内壁面
３３１  湾曲部
４０Ａ  ＬＥＤ発光モジュール
４１Ａ  回路基板
４２Ａ  発光ダイオード
３０Ｂ  マウスピース部
３３Ｂ  内壁面
４０Ｂ  ＬＥＤ発光モジュール
４１Ｂ  回路基板
４２Ｂ  発光ダイオード
５０  歯列
１０Ａ  光治療装置本体
３０Ｃ  マウスピース部
３３１Ｃ  連結部
３３Ｃ  内壁面
３４  開口
【図１】
0003165607.tif 000003
【図２】
0003165607.tif 000004
【図３】
0003165607.tif 000005
【図４】
0003165607.tif 000006
【図５】
0003165607.tif 000007